(57)【要約】【課題】磁気ディスク装置に実装された磁気ヘッドスライダを、筐体外部から治具アームによって交換可能とすることで、製造コストを低減する。【解決手段】磁気ディスク装置の筐体側面に、治具アームを挿入できる開口部とアンロード機構付近に治具アーム先端を磁気ヘッドスライダ位置に位置決めするためのガイド溝を設ける。磁気ヘッドスライダに障害や性能劣化が生じた際にこれを交換して媒体の記録情報を再生できる。装置としての信頼性が向上する。また、スライダの交換が容易であり、磁気ヘッド部品単体の特性試験を省略でき、製造コストの低減が図れる。【選択図】  図２
2004164702.tif 000002
【特許請求の範囲】
【請求項１】
情報を信号として記録する円板状磁気媒体と、前記円板状磁気媒体を回転駆動する機構と、前記円板状磁気媒体に信号を記録再生する電磁変換素子と、前記電磁変換素子を搭載し前記円板状磁気媒体上を相対的に移動するスライダと、前記スライダを前記円板状磁気媒体上に支持するサスペンションと、前記サスペンションを回転駆動する機構と、前記円板状磁気媒体から前記スライダを一時的に遠避けてサスペンションを保持固定するアンロードランプ機構と、これらを内包する筐体からなる磁気ディスク装置において、
筐体側面に開口部があり、前記アンロードランプに隣接してガイド溝があり、前記開口部および前記ガイド溝を通して前記筐体の外部から前記スライダの交換が可能な機能を有することを特徴とする磁気ディスク装置。
【請求項２】
請求項１の磁気ディスク装置において、前記アンロードランプが前記サスペンションの先端に形成されたリフトタブを保持し、前記サスペンション外形短手方向に前記ガイド溝があることを特徴とする磁気ディスク装置。
【請求項３】
請求項１の磁気ディスク装置において、前記アンロードランプが前記サスペンションの中央部を保持し、前記サスペンション先端方向に前記ガイド溝があることを特徴とする磁気ディスク装置。
【請求項４】
請求項１の磁気ディスク装置において、前記側面開口部に開閉機構があることを特徴とする磁気ディスク装置。
【請求項５】
請求項１の磁気ディスク装置の前記スライダの着脱に用いることを特徴とする着脱アーム。
【請求項６】
請求項１の磁気ディスク装置において、前記着脱アームを具備することを特徴とする磁気ディスク装置。
【請求項７】
請求項６の磁気ディスク装置において、前記着脱アームに対する前記スライダの着脱を電磁的もしくは減圧吸引式方法で行なうことを特徴とする磁気ディスク装置。
【請求項８】
請求項６の磁気ディスク装置において、複数の装置に対して同一の前記着脱アームが自動的に前記スライダの着脱を行なうことを特徴とする磁気ディスク装置。
【発明の詳細な説明】
【０００１】
【発明の属する技術分野】
本発明は、磁気ディスク装置に係り、記録再生ヘッドを搭載するスライダの交換技術に関する。
【０００２】
【従来の技術】
従来から、磁気ディスク装置では、磁気ヘッドスライダーが媒体円板表面上を非常に狭小な隙間をもって浮上走行するので、スライダーが浮上走行する際に障害となり得る塵埃やガスが筐体外部から侵入しないようになっている。
即ち、磁気ディスク装置のヘッドディスクアセンブリ構造において、磁気記録媒体はスピンドルに固定され、磁気ヘッド及びこれらの駆動装置その他の構成部品は、磁気ディスク装置の筐体内に密封されている。
【０００３】
磁気ディスク装置の完成後に、何らかの不都合が生じたため、非破壊的にその磁気ディスク装置を分解し、再度、組立てるためには、しかるべき清浄度のクレーンルームで、生産の際の組立順序を遡る必要がある。この工程は手間が多大である。
最近の２．５インチ型の磁気ディスク装置では、磁気ヘッドは、磁気ヘッド組立体を交換することで交換できる。ここに磁気ヘッド組立体とは、電磁変換素子を担持したスライダをサスペンションに固着した部品をいい、この状態まで非破壊的に分解できる。
【０００４】
ヘッドスライダの交換を非破壊的に行なうことが、特開平１１−３１２３７３に開示されている。つまりスライダ着脱を可能にした磁気ヘッド組立法のみが記載されている。しかしながら磁気ディスク装置の分解時の環境及び分解順序は、前述の通りに手間が多くかかるものである。
【０００５】
磁気ディスク装置の構成部品の中で、障害が起きやすい部品は、磁気ディスク装置の記録密度特性に最も影響を与えている電磁変換素子である。また、それを担持しているスライダである。
一般に、磁気ディスク装置全体における障害発生を回避するため、その部品である磁気ヘッド組立体単独で記録再生試験を行う。特性マージンのある磁気ヘッド組立体のみを選別して磁気ディスク装置に組み込むためである。
【０００６】
このため磁気ヘッド組立体の歩留が、磁気ディスク装置の製造コストを大きく左右する。さらに、磁気ヘッドの電磁変換素子部は、薄膜積層構造であるため、通電時間によって経時的に劣化し、寿命となる。磁気ディスク装置の使用期間を保証するために、磁気ヘッドの電磁変換特性の劣化を考慮して、読出素子部への電流の上限が規定されている。このため電磁変換素子部の特性のばらつきにより、上限値を超えた電流を通電すれば、記録再生試験で、そのような磁気ヘッド組立体が低い歩留を示すこととなる。
【０００７】
【特許文献１】
特開平１１−３１２３７３公報
【０００８】
【発明が解決しようとする課題】
磁気ヘッドの電磁変換素子の薄膜化と微細化は、成膜精度や加工精度で限度が決まり、膜厚や寸法のばらつきによって素子の特性もばらつく。このため磁気ヘッド組立体を磁気ディスク装置から取り外して交換すれば装置全体の歩留まりが向上する。しかし、交換しやすい環境を用意することが困難であった。
【０００９】
【課題を解決するための手段】
磁気ディスク装置から容易にスライダを取り外せ、また、取り付けることができる機構を磁気ディスク装置に付加する。具体的には次のようである。
【００１０】
スライダを円板上から引き剥した上でサスペンションを保持するアンロード機構を設ける。サスペンションが複数の部材から成っている場合には、スライダが接合されている部材の部分を直接、保持できるほうがより望ましい。スライダをサスペンションと分離する際に、それぞれの接合部分に無理な負荷が掛からないようにするためである。
【００１１】
磁気ディスク装置の筐体の側面に開口部を設ける。開口部は、普段は防塵のためにシールまたは開閉機構で遮蔽されている。
【００１２】
上記シールを剥したときに、サスペンションアンロード状態のスライダの側面が開口部を通して筐体外部より見通せる構造を設ける。開口部からスライダを着脱するアームを筐体内に差し入れる。
【００１３】
アンロード状態のスライダの近傍に、アームの位置決めをするガイド溝を設ける。筐体内に挿入したアームは、このガイド溝でサスペンションのスライダ位置に位置決めされ、アーム先端でスライダをつかみ取り、スライダとサスペンションを分離後に、スライダを保持しながらアームを筐体側面の開口部より取り出す。スライダとサスペンションの接合は着脱ができるよう構成されている。アームは、スライダの浮上面を傷つけないように、スライダの浮上面あるいは側面を保持する。また、サスペンションの回転駆動力により、スライダとサスペンションの先端部分がこの開口部から突出するようにしてもよい。
【００１４】
【発明の実施の形態】
図１は、第一の実施例である磁気ディスク装置であり、カバー１を外し、上げた状態の斜視図である。従来の磁気ディスクの例である図９に対して、図１の実施例では、筐体の側面に開口部５があり、アンロードランプ機構部４にガイド溝がある。ここで、１は円板状の記録媒体であり、２は磁気ヘッドを位置決めするキャリッジであり、３は電磁変換素子および支持機構を合わせた磁気ヘッド組立体であり、４は電磁変換素子を媒体から一時的に引き離して磁気ヘッド組立体を保持するアンロードランプ機構であり、５はスライダ交換アームを挿入する筐体側面開口部であり、６は筐体であり、７は筐体カバーである。
【００１５】
図４は、アンロードランプ機構部４の斜視図および三面図である。４１はアンロードランプ部であり、４２はガイド溝である。ランプ部４１に付設してガイド溝４２がある。
図２は、図１の実施例にスライダ交換アーム８を開口部５から挿入している図である。筐体側面開口５からスライダ交換アーム８を挿入し、ガイド溝４２を通して、スライダ着脱部８１をスライダ３４の位置に位置決めしてスライダ３４の着脱を行なう。
図３は、磁気ヘッド組立体３の詳細構造を示す図である。３１はアームであり、３２はロードビームであり、３３はフレクシャーであり、３４はスライダである。スライダ３４は、フレクシャー３３のスライダ接合部位に機械的あるいは磁気的な方法で接合しており、また電気的な接合も行われている。
図５にスライダ交換アーム８の正面図および側面図を示す。スライダ交換アーム８は先端にスライダの着脱部５１を持ち、アームの途中に位置決めする段差がある。段差部５２を持った先細りの張状のものである。
【００１６】
図６はスライダ交換アーム８とガイド溝４２の位置関係を示す。スライダ交換アーム８は、筐体側面開口部５とガイド溝４２によってサスペンション長手方向に位置決めがなされ、スライダ交換アーム８の先端段差部５２がガイド溝４２に押し当ってサスペンション短手方向の位置決めがされる。したがって、スライダ交換アーム８が完全に押し込まれた状態では、筐体側面開口部５の幅がスライダ交換アーム８の中央部の幅にほぼ一致し、ガイド溝４２の幅がスライダ交換アーム８の先端部の幅にほぼ一致している。
【００１７】
図７は、第１の実施例の正面図である。スライダ交換アームを途中まで、挿入している。
【００１８】
図８は磁気ディスク装置のアンロードランプ部付近の断面図で、スライダ交換動作を順番に示している。スライダ交換アーム８が筐体側面開口部５を通り、次にガイド溝部４１を通り、その先端がスライダ３４の位置に位置決めされる。
次に、例えば特開平１１−３１２３７３にある方法によるサスペンションとスライダの着脱機構により、スライダ３４はサスペンション３から離れ、同様な方法でスライダ交換アーム８先端のスライダ着脱部５１に保持される。
【００１９】
次にスライダ交換アーム８に保持されたスライダ３４がガイド溝４２および筐体側面開口部５を通って筐体６の外へ搬出される。このときにスライダ３４が、ガイド溝４２と筐体側面開口部５に接触しないようそれぞれには逃がし溝がある。
【００２０】
図１０は、第２の実施例でアンロードランプがロードビーム中央にあり、ガイド溝４２および筐体側面開口部５がサスペンション長手方向の先にあり、スライダ交換アーム８は、図のようにサスペンション長手先端方向から挿入する。
図１２は、筐体外形の縦横比を、現在最も実施されている比率に近い形状に適用した例である。
【００２１】
以上をまとめて本発明の特徴事項を列挙すれば次のようである。
１．情報を信号として記録する円板状磁気媒体と、前記円板状磁気媒体を回転駆動する機構と、前記円板状磁気媒体に信号を記録再生する電磁変換素子と、前記電磁変換素子を搭載し前記円板状磁気媒体上を相対的に移動するスライダと、前記スライダを前記円板状磁気媒体上に支持するサスペンションと、前記サスペンションを回転駆動する機構と、前記円板状磁気媒体から前記スライダを一時的に遠避けてサスペンションを保持固定するアンロードランプ機構と、これらを内包する筐体からなる磁気ディスク装置において、
筐体側面に開口部があり、前記アンロードランプに隣接してガイド溝があり、前記開口部および前記ガイド溝を通して前記筐体の外部から前記スライダの交換が可能な機能を有することを特徴とする磁気ディスク装置。
２．上記１の磁気ディスク装置において、前記アンロードランプが前記サスペンションの先端に形成されたリフトタブを保持し、前記サスペンション外形短手方向に前記ガイド溝があることを特徴とする磁気ディスク装置。
３．上記１の磁気ディスク装置において、前記アンロードランプが前記サスペンションの中央部を保持し、前記サスペンション先端方向に前記ガイド溝があることを特徴とする磁気ディスク装置。
４．上記１の磁気ディスク装置において、前記側面開口部に開閉機構があることを特徴とする磁気ディスク装置。
５．上記１の磁気ディスク装置の前記スライダの着脱に用いることを特徴とする着脱アーム。
６．上記１の磁気ディスク装置において、前記着脱アームを具備することを特徴とする磁気ディスク装置。
７．上記６の磁気ディスク装置において、前記着脱アームに対する前記スライダの着脱を電磁的もしくは減圧吸引式方法で行なうことを特徴とする磁気ディスク装置。
８．上記６の磁気ディスク装置において、複数の装置に対して同一の前記着脱アームが自動的に前記スライダの着脱を行なうことを特徴とする磁気ディスク装置。
【００２２】
【発明の効果】
磁気ヘッドスライダに障害や性能劣化が生じた際に、これを交換して媒体の記録情報を再生できるようになり、高い信頼性で長寿命の磁気ディスク装置を提供できる。また、容易な交換性により磁気ヘッド部品単体の特性試験を省略でき、製造コスト低減が可能となる効果がある。
【図面の簡単な説明】
【図１】第１の実施の態様である磁気ディスク装置の、カバーを外して上げた状態の斜視図である。
【図２】本発明に係る機構の使い方を説明した図である。
【図３】磁気ヘッド組立体３の詳細構造を示す図である。（ａ）と（ｂ）は、それぞれ円板状媒体の表裏に位置する鏡対象な構造体を示す。
【図４】アンロードランプ機構の斜視図および三面図である。
【図５】スライダ交換アームの拡大図である。
【図６】アンロードランプ機構に付設したガイド溝とこれに挿入されるスライダ交換アームの位置関係を示す図である。
【図７】第１の実施例の正面図である。
【図８】第１の実施例の側面図である。り、スライダ交換動作を順に示している。
【図９】従来の磁気ディスク装置の例である。
【図１０】第２の実施例の正面図である。
【図１１】第２の実施例において筐体の外形を変えた例である。
【図１２】筐体外形の縦横比を典型的な比率とし、スライダ交換アームの開口部分を換えた例である。
【符号の説明】
１    円板状磁気記録媒体        ２    キャリッジ
３    磁気ヘッド組立体          ４    アンロードランプ機構
５    筐体側面開口部            ６    筐体
７    カバー                    ８    スライダ交換アーム
３１    アーム                  ３２    ロードビーム
３３    フレクシャー            ３４    スライダ
４１    ランプ部                ４２    ガイド溝
５１    スライダ着脱部          ５２    段差部
【図１】
2004164702.tif 000003
【図２】
2004164702.tif 000004
【図３】
2004164702.tif 000005
【図４】
2004164702.tif 000006
【図５】
2004164702.tif 000007
【図６】
2004164702.tif 000008
【図７】
2004164702.tif 000009
【図８】
2004164702.tif 000010
【図９】
2004164702.tif 000011
【図１０】
2004164702.tif 000012
【図１１】
2004164702.tif 000013
【図１２】
2004164702.tif 000014